(57)【要約】【課題】本発明は、自動車等における内燃機関の点火プラグに対して高電圧を供給し、火花放電を発生させる際に発生する雑音の除去または耐雑音性向上用のコンデンサを備え、前記コンデンサに対する応力を少なくした内燃機関用点火コイルに関するものである。【解決手段】本発明は、雑音の除去または耐雑音性向上用のコンデンサの周囲を内燃機関用点火コイルの絶縁に使用されている絶縁部材と比較して、より弾性があるシリコン樹脂で覆ったため、経年変化によっても前記コンデンサにかかる応力を吸収することができる。【選択図】図１
2007239533.tif 000002
【特許請求の範囲】
【請求項１】
一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサと、前記鉄心を含むコイル組立体および前記コンデンサ等を収納する絶縁ケースと、前記絶縁ケース内に充填された絶縁部材と、から少なくとも構成される内燃機関用点火コイルにおいて、
前記雑音除去または耐雑音性向上用コンデンサの周囲は、シリコーン材により覆われていることを特徴とする内燃機関用点火コイル。
【請求項２】
前記絶縁ケースは、コンデンサをシリコーン材で覆った後にエポキシ樹脂が充填されていることを特徴とする請求項１に記載された内燃機関用点火コイル。
【請求項３】
前記シリコーン材は、シリコーン系樹脂またはシリコーンゴム系樹脂のいずれかであることを特徴とする請求項１または請求項２に記載された内燃機関用点火コイル。
【発明の詳細な説明】
【技術分野】
【０００１】
本発明は、自動車等における内燃機関の点火プラグに対して高電圧を供給し、火花放電を発生させる際に発生する雑音の除去または耐雑音性向上用のコンデンサを備えた内燃機関用点火コイルに関するものである。特に、本発明は、コンデンサに対する応力を少なくした内燃機関用点火コイルに関するものである。
【背景技術】
【０００２】
図２は従来例における内燃機関用点火コイルの雑音防止用コンデンサを説明するための図である。図２における内燃機関用点火コイルのケース２１は、コネクタソケット２１１と、前記コネクタソケット２１１と反対側に設けられている取付孔２１２と、前記コネクタソケット２１１と取付孔２１２の間に成形されているコイル組立体等収納部２１３とから少なくとも構成されている。前記コイル組立体等収納部２１３には、コイルおよび鉄心からなるコイル組立体２１４を収納する収納部と、イグナイタを収納するイグナイタ収納部２１５と、コンデンサ２２を収納するコンデンサ収納部２１６が設けられている。
【０００３】
また、前記ケース２１には、前記コイル組立体２１４および前記コンデンサ２２等が収納されているとともに、たとえば、エポキシ樹脂のような充填材２１７が充填されている。その他に、コイル収納部にコンデンサが挿入されている内燃機関用点火コイルは、たとえば、特開２００２−１９５１４３号公報に記載されている。
【特許文献１】特開２００２−１９５１４３号公報
【発明の開示】
【発明が解決しようとする課題】
【０００４】
しかし、前記コイル組立体等収納部２１３において、イグナイタを収納するイグナイタ収納部２１５と、コンデンサ２２を収納するコンデンサ収納部２１６は、大きさが異なる。大きさの小さいコンデンサ収納部２１６の周辺には、必要以上の充填材２１７が充填されている。すなわち、前記コイル組立体等収納部２１３の他の部分における充填材２１７は、体積が前記コンデンサ収納部２１６の周辺における充填材２１７より小さいため、経年変化や熱サイクルを受けることが少ない。これに反して、前記コンデンサ収納部２１６の周辺における充填材２１７は、体積が他の部分より大きいため、多くの応力が働き、クラックが発生する。前記充填材２１７による応力は、前記コンデンサ２２に対して作用し、前記コンデンサ２２にもクラックが発生し、機能不良となることがある。
【０００５】
以上のような課題を解決するために、本発明は、火花放電を発生させる際に発生する雑音の除去または耐雑音性向上用のコンデンサの周辺をシリコーン系樹脂により覆うことにより、経年変化によっても前記コンデンサにクラックが発生しない内燃機関用点火コイルを提供することを目的とする。
【課題を解決するための手段】
【０００６】
（第１発明）
第１発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサと、前記鉄心を含むコイル組立体および前記コンデンサ等を収納する絶縁ケースと、前記絶縁ケース内に充填された絶縁部材と、から少なくとも構成されており、前記雑音除去または耐雑音性向上用コンデンサの周辺は、シリコーン材により覆われていることを特徴とする。
【０００７】
（第２発明）
第２発明の内燃機関用点火コイルにおいて、第１発明の絶縁ケースは、コンデンサをシリコーン材で覆った後にエポキシ樹脂が充填されていることを特徴とする。
【０００８】
（第３発明）
第３発明の内燃機関用点火コイルにおいて、第１発明および第２発明のシリコーン材は、シリコーン系樹脂またはシリコーンゴム系樹脂のいずれかであることを特徴とする。
【発明の効果】
【０００９】
本発明によれば、コンデンサをシリコーン樹脂で覆ったため、充填材に発生したクラックからなる応力を吸収でき、経年変化によっても信頼性を向上させることができる。
【００１０】
本発明によれば、コンデンサの周辺をシリコーン樹脂で覆ったため、コンデンサにかかるクラックの応力を約１／６に減少させることができ、コンデンサの機能不良を防止することができた。
【発明を実施するための最良の形態】
【００１１】
（第１発明）
第１発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサと、前記鉄心を含むコイル組立体および前記コンデンサ等を収納する絶縁ケースと、前記絶縁ケース内に充填された絶縁部材とから少なくとも構成される。
【００１２】
前記雑音除去または耐雑音性向上用コンデンサの周辺は、シリコーン樹脂により覆われている。充填材としての絶縁部材は、経年変化によりクラックの発生があり、前記クラックの発生により、前記コンデンサに応力がかかる。そのため、前記コンデンサは、前記応力を受けてコンデンサ自体もクラックが発生し、機能が不良になることがある。本発明は、前記コンデンサの周辺を内燃機関用点火コイルの絶縁に使用されている絶縁部材と比較して、より弾性があるシリコン樹脂で覆ったため、経年変化によっても前記コンデンサにかかる応力を吸収することができる。前記コンデンサは、たとえば、セラミックコンデンサのような小型のものとすることが望ましい。
【００１３】
（第２発明）
第２発明の内燃機関用点火コイルにおいて、第１発明の絶縁ケースは、前記コンデンサをシリコーン材で覆った後、前記シリコーン材で覆われたコンデンサとともに、他のコイル組立体等がエポキシ樹脂で充填される。前記コンデンサを覆ったシリコーン材は、前記エポキシ樹脂の経年変化によってクラック等が発生しても、その応力を吸収できるため、前記コンデンサの破壊から保護を行う。
【００１４】
（第３発明）
第３発明の内燃機関用点火コイルにおいて、第１発明または第２発明のシリコーン材は、シリコーンを主成分としたシリコーン系樹脂、またはシリコーンゴムを主成分としたシリコーンゴム系樹脂のいずれかである。シリコーン系樹脂またはシリコーンゴム系樹脂は、エポキシ樹脂のようにクラックの発生がなく、エポキシ樹脂の弾性より、大きいものであり、他の合成樹脂との混合材であっても良い。
【実施例１】
【００１５】
図１は本発明の実施例における内燃機関用点火コイルの雑音防止用コンデンサを説明するための図である。図１における内燃機関用点火コイルのケース１１は、コネクタソケット１１１と、前記コネクタソケット１１１と反対側に設けられている取付孔１１２と、前記コネクタソケット１１１と取付孔１１２の間に成形されているコイル組立体等収納部１１３とから少なくとも構成されている。前記コイル組立体等収納部１１３には、コイルおよび鉄心からなるコイル組立体１１４を収納する収納部と、イグナイタを収納するイグナイタ収納部１１５と、コンデンサ１２を収納するコンデンサ収納部１１６が設けられている。
【００１６】
また、前記内燃機関用点火コイルのケース１１には、前記コイル組立体１１４とイグナイタ収納部１１５、および前記コンデンサ１２等が収納されている。そして、前記コンデンサ１２の周辺は、シリコーン樹脂系部材１１８によって覆われる。その後、前記コイル組立体１１４、イグナイタ収納部１１５、および前記コンデンサ１２の周辺は、たとえば、エポキシ樹脂系充填材１１７が充填されている。前記コンデンサ１２は、エポキシ樹脂系充填材１１７にクラックが発生しても、周辺がシリコーン樹脂系部材１１８によって覆われているため、前記クラックの応力が伝達されずに機能を保持することができ、信頼性の高いものとなる。
【００１７】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例におけるコンデンサ、内燃機関用点火コイル、ケースの材質、充填材の材質は、公知または周知のものを採用することができる。
【図面の簡単な説明】
【００１８】
【図１】本発明の実施例における内燃機関用点火コイルの雑音防止用コンデンサを説明するための図である。（実施例１）
【図２】従来例における内燃機関用点火コイルの雑音防止用コンデンサを説明するための図である。
【符号の説明】
【００１９】
１１・・・内燃機関用点火コイルのケース
１１１・・・コネクタソケット
１１２・・・取付孔
１１３・・・コイル組立体等収納部
１１４・・・コイル組立体
１１５・・・イグナイタ収納部
１１６・・・コンデンサ収納部
１１７・・・充填材
１１８・・・シリコーン樹脂系部材
１２・・・コンデンサ
【図１】
2007239533.tif 000003
【図２】
2007239533.tif 000004